(57)【要約】【課題】レンズに対して容易に装着することができるレンズキャップを提供する。【解決手段】変形可能な材質で形成されたレンズキャップ２００において、レンズキャップ２００は、レンズ１１０に装着されるドーム形状の曲面部２１０ａを有する。曲面部２１０ａは、レンズ１１０が装着される側に曲面部２１０ａを撓ませた第１の状態と、ドーム形状をなす第２の状態と、に変形可能とする。そして、第１の状態の曲面部２１０ａをレンズ１１０に当接させ、この曲面部２１０ａを第２の状態に変形させることで、レンズ１１０にレンズキャップ２００を装着する。【選択図】図６
2017227813.tif 000002
【特許請求の範囲】
【請求項１】
変形可能な材質で形成されたレンズキャップであって、
前記レンズキャップは、凸レンズに装着されるドーム形状の曲面部を有し、
前記曲面部は、前記凸レンズが装着される側に当該曲面部を撓ませた第１の状態と、前記ドーム形状をなす第２の状態と、に変形可能であり、
前記第１の状態の曲面部を前記凸レンズに当接させ当該曲面部を前記第２の状態に変形させることで、前記凸レンズに前記レンズキャップを装着させることを特徴とするレンズキャップ。
【請求項２】
前記曲面部には、形状保持性を有する前記ドーム形状の板金が内蔵されていることを特徴とする請求項１に記載のレンズキャップ。
【請求項３】
前記曲面部は、前記凸レンズが装着される側の面に切欠部を有し、
前記切欠部は、前記曲面部が前記第２の状態から前記第１の状態に変形した際に当該曲面部が鋭角に屈曲する位置に設けられていることを特徴とする請求項１又は２に記載のレンズキャップ。
【請求項４】
前記レンズキャップの径が前記凸レンズの径よりも小さいことを特徴とする請求項１〜３の何れか一項に記載のレンズキャップ。
【請求項５】
前記レンズキャップが前記凸レンズに装着された際に、前記レンズキャップと前記凸レンズとが密着状態になることを特徴とする請求項１〜４の何れか一項に記載のレンズキャップ。
【請求項６】
前記レンズキャップが前記凸レンズに装着された状態を解除する摘まみ部を有することを特徴とする請求項１〜５の何れか一項に記載のレンズキャップ。
【請求項７】
前記レンズキャップは、突起部を有し、
前記突起部は、前記レンズキャップが前記凸レンズに装着される際に、当該凸レンズを有するレンズユニットの凹部と係合することを特徴とする請求項１〜６の何れか一項に記載のレンズキャップ。
【請求項８】
前記曲面部の前記凸レンズが装着される側の面に繊毛を有することを特徴とする請求項１〜７の何れか一項に記載のレンズキャップ。
【請求項９】
前記ドーム形状の曲面部が前記凸レンズに装着される前は、前記ドーム形状の曲面部が前記凸レンズに装着される方向に突出している状態で保持され、前記ドーム形状の曲面部が前記凸レンズに装着されると、前記ドーム形状の曲面部が前記凸レンズに装着される方向とは逆方向に突出した状態で、前記凸レンズに装着されることを特徴とする請求項１〜８の何れか一項に記載のレンズキャップ。
【発明の詳細な説明】
【技術分野】
【０００１】
本発明は、レンズキャップに関する。
【背景技術】
【０００２】
従来、可塑性を有する材料により有底筒状に形成されたレンズキャップが知られている（例えば、特許文献１参照）。
【先行技術文献】
【特許文献】
【０００３】
【特許文献１】特開２００４−７３３４３号公報
【発明の概要】
【発明が解決しようとする課題】
【０００４】
しかしながら、上記特許文献１に開示されているレンズキャップは、開口部に近づくにつれて徐々に内径サイズが小さくなる構造となっているため、レンズに嵌め難いという問題がある。
【０００５】
本発明は、このような問題に鑑みてなされたものであり、レンズに対して容易に装着することができるレンズキャップを提供することを目的とする。
【課題を解決するための手段】
【０００６】
上記課題を解決するため、本発明は、
変形可能な材質で形成されたレンズキャップであって、
前記レンズキャップは、凸レンズに装着されるドーム形状の曲面部を有し、
前記曲面部は、前記凸レンズが装着される側に当該曲面部を撓ませた第１の状態と、前記ドーム形状をなす第２の状態と、に変形可能であり、
前記第１の状態の曲面部を前記凸レンズに当接させ当該曲面部を前記第２の状態に変形させることで、前記凸レンズに前記レンズキャップを装着させることを特徴とする。
【発明の効果】
【０００７】
本発明によれば、レンズに対して容易に装着することができるレンズキャップを提供することができる。
【図面の簡単な説明】
【０００８】
【図１】（ａ）は、レンズユニットの外観を示す正面図であり、（ｂ）は、レンズキャップの外観を示す正面図である。
【図２】レンズユニットにレンズキャップが装着された状態の外観を示す正面図である。
【図３】（ａ）は、曲面部がドーム形状をなした状態におけるレンズキャップの縦断面図であり、（ｂ）は、曲面部が反転した状態におけるレンズキャップの縦断面図である。
【図４】レンズキャップの突起部とレンズユニットの溝との係合を示す部分拡大図である。
【図５】繊毛の部分拡大図であり、（ａ）は、繊毛の毛先が球形状をなした状態を示す図であり、（ｂ）は、互いに隣接する毛が交差した状態を示す図である。
【図６】（ａ）は、レンズユニットにレンズキャップを装着する前の状態を示す図であり、（ｂ）は、レンズユニットにレンズキャップを装着した後の状態を示す図である。
【図７】変形例のレンズキャップの摘まみ部を摘まんだ状態を示す縦断面図である。
【発明を実施するための形態】
【０００９】
以下に、本発明について、図面を用いて具体的な態様を説明する。ただし、発明の範囲は、図示例に限定されない。
【００１０】
図１（ａ）は、レンズユニット１００の外観を示す正面図である。図１（ｂ）は、レンズキャップ２００の外観を示す正面図である。図２は、レンズユニット１００にレンズキャップ２００が装着された状態の外観を示す正面図である。図３（ａ）は、曲面部２１０ａがドーム形状をなした状態におけるレンズキャップ２００の縦断面図である。図３（ｂ）は、曲面部２１０ａが反転した状態におけるレンズキャップ２００の縦断面図である。
【００１１】
先ず、本発明に係るレンズキャップの説明の前に、このレンズキャップの装着対象となるレンズユニットについて説明する。
図１（ａ）に示すように、レンズユニット１００は、レンズ１１０と、レンズ保持部１２０と、を備えている。
【００１２】
レンズ１１０は、所謂魚眼レンズであり、凸型球面形状をなしている。
レンズ保持部１２０は、レンズ１１０を保持する基台である。レンズ保持部１２０は、図１（ａ）に示すように、円錐台形状をなしており、この円錐台形状の上底部分でレンズ１１０を保持する。また、レンズ保持部１２０は、その上部外縁に、後述するレンズキャップ２００の側壁部２１０ｂの内側面と摺接する摺接部１２０ａを有している。また、レンズ保持部１２０は、摺接部１２０ａの下端の外縁に溝１２０ｂを有している。
【００１３】
次に、本発明に係るレンズキャップについて説明する。
レンズキャップ２００は、上述のレンズ１１０を保護するためのレンズキャップである。レンズキャップ２００は、図１（ｂ）、図３（ａ），（ｂ）に示すように、本体部２１０と、メタルドーム２２０と、繊毛２３０と、を備えている。本体部２１０及び繊毛２３０は、弾性体よりなり、その構成材料しては、ゴム、エラストマー、樹脂などが挙げられる。
【００１４】
本体部２１０は、曲面部２１０ａと、側壁部２１０ｂと、を有している。
曲面部２１０ａは、常態ではドーム形状をなしている。曲面部２１０ａは、凸型球面形状をなしているレンズ１１０に当接する部分（装着される部分）であり、レンズ１１０を密着して覆うためドーム形状をなしている。曲面部２１０ａは、図３（ａ），（ｂ）に示すように、メタルドーム２２０が内蔵されていることにより、上記ドーム形状をなした状態（第２の状態）（図３（ａ）参照）と、レンズ１１０に当接する側（装着される側）に曲面部２１０ａを撓ませた状態（第１の状態）（図３（ｂ）参照）と、に変形可能となっている。上記第１の状態では、レンズ１１０に当接する側に曲面部２１０ａを撓ませた分だけ、上記第２の状態のレンズキャップ２００の高さｈａに比べて、上記第１の状態のレンズキャップ２００の高さｈｂを低くすることができる。
【００１５】
また、曲面部２１０ａは、図３（ａ）に示すように、レンズ１１０に当接する側の面に切欠き２１０ｃを有している。具体的には、切欠き２１０ｃは、曲面部２１０ａを、上記第２の状態から上記第１の状態に変形させた際に曲面部２１０ａが屈曲する位置（曲面部２１０ａが鋭角に屈曲する位置）に設けられている。切欠き２１０ｃを有することにより、上記第２の状態から上記第１の状態に曲面部２１０ａを変形させる際に、大きな負荷をかけることなく変形させることが可能となっている。
【００１６】
側壁部２１０ｂは、曲面部２１０ａの周囲に設けられ、短円筒形状をなしている。側壁部２１０ｂの開口端部の径、すなわちレンズキャップ２００の径は、レンズ保持部１２０の摺接部１２０ａの径よりも僅かに小さく設定されている。また、側壁部２１０ｂは、内側面上であって開口端近傍に複数（例えば、４つ）の突起部２１０ｄを有している。突起部２１０ｄは、側壁部２１０ｂの円周方向に等間隔に設けられている。突起部２１０ｄは、図４に示すように、レンズ保持部１２０の溝１２０ｂと係合するように構成されている。このため、図２に示すように、レンズユニット１００にレンズキャップ２００が装着された際、レンズキャップ２００が容易に外れてしまうことを抑制することができる。
【００１７】
メタルドーム２２０は、ドーム形状をなした所謂反転バネであり、本体部２１０に内蔵されている。メタルドーム２２０は、図３（ａ）に示すように、ドーム形状をなした状態（第２の状態）において、曲面部２１０ａの上方から下方へ所定荷重以上の押圧力を受けることにより、図３（ｂ）に示すように、反転した状態、すなわち曲面部２１０ａをレンズ１１０に当接する側に撓ませた状態（第１の状態）となる。一方、メタルドーム２２０は、図３（ｂ）に示すように、反転した状態において、曲面部２１０ａの下方から上方へ所定荷重以上の押圧力を受けることにより、図３（ａ）に示すように、ドーム形状をなした状態に戻る。つまり、メタルドーム２２０は、所定荷重以上の押圧力を受けない限り、ドーム形状をなした状態（第２の状態）と反転した状態（第１の状態）とのうちの何れか一方の状態を維持し、自己復元しないように設定されている。
【００１８】
繊毛２３０は、曲面部２１０ａの内側の面全体、すなわち曲面部２１０ａのレンズ１１０に当接する側の面全体に設けられている。繊毛２３０は、毛と毛の間に砂等の硬い異物をもぐり込ませることができる程度の密度と長さを有している。なお、繊毛２３０は、毛と毛の間にもぐり込ませた異物の放出を抑制することを目的として、例えば、図５（ａ）に示すように、毛先を球形状としてもよい。また、図５（ｂ）に示すように、繊毛２３０の互いに隣接する毛を交差させるようにしてもよい。
【００１９】
次に、レンズユニット１００に対するレンズキャップ２００の着脱方法について説明する。
図６（ａ）は、レンズユニット１００にレンズキャップ２００を装着する前の状態を示す図である。図６（ｂ）は、レンズユニット１００にレンズキャップ２００を装着した後の状態を示す図である。
【００２０】
図６（ａ）に示すように、レンズユニット１００にレンズキャップ２００を装着する前の状態のとき、レンズキャップ２００は、曲面部２１０ａが反転した状態、すなわちレンズ１１０に当接する側に曲面部２１０ａを撓ませた状態（第１の状態）にある。
そして、レンズユニット１００にレンズキャップ２００を装着する場合、曲面部２１０ａのレンズ１１０と当接する側の面にレンズ１１０を押し当てる。続けて、所定荷重以上の負荷をかけてレンズキャップ２００をレンズユニット１００の方へ押し進めることにより、図６（ｂ）に示すように、レンズキャップ２００が、上記第１の状態からドーム形状をなす状態（第２の状態）に変形するとともに、レンズユニット１００のレンズ１１０に密着して装着されることとなる。
【００２１】
一方、図６（ｂ）に示すように、レンズキャップ２００がレンズユニット１００のレンズ１１０に密着して装着されている状態において、レンズキャップ２００を取り外す場合は、先ず、レンズキャップ２００の突起部２１０ｄと、レンズユニット１００の溝１２０ｂと、の係合を解除する。そして、曲面部２１０ａのレンズ１１０と当接しない側の面にユーザの指等を押し当てる。続けて、所定荷重以上の負荷をかけてレンズキャップ２００をユーザの指の方へ押し進めることにより、図６（ａ）に示すように、ドーム形状をなす状態（第２の状態）から曲面部２１０ａが反転した状態（第１の状態）に、レンズキャップ２００が変形する。これにより、レンズユニット１００に装着されたレンズキャップ２００が取り外されることとなる。
【００２２】
以上のように、本実施形態のレンズキャップ２００は、レンズ１１０に当接する側に撓ませた第１の状態の曲面部２１０ａをレンズ１１０に当接させ、この曲面部２１０ａをドーム形状をなす第２の状態に変形させることで、レンズユニット１００（レンズ１１０）に装着されることとなる。
このため、本実施形態のレンズキャップ２００にあっては、レンズキャップ２００内にレンズ１１０を押し込める手間を要しないで済むので、レンズユニット１００に対してレンズキャップ２００を容易に装着することができる。
【００２３】
また、本実施形態のレンズキャップ２００は、形状保持性を有するドーム形状の板金（メタルドーム２２０）が曲面部２１０ａに内蔵されている。このため、レンズキャップ２００がレンズユニット１００から取り外されているときは、このレンズキャップ２００の曲面部２１０ａを、レンズ１１０に当接する側に撓ませた第１の状態で保持することができる。これにより、レンズキャップ２００単独の場合、高さ方向のサイズダウンを図ることができるので、レンズキャップ２００を携帯し易くなる。また、本実施形態のレンズキャップ２００は、メタルドーム２２０のバネ特性を活かすことで、曲面部２１０ａを、第１の状態から第２の状態にスムーズに変形させることができるので、レンズユニット１００に対してレンズキャップ２００を装着する際の装着性を向上させることができる。更に、本実施形態のレンズキャップ２００は、メタルドーム２２０を内蔵することにより、レンズキャップ２００の強度を向上させることができるので、レンズキャップ２００自体の変形・歪みを抑制することができる。
【００２４】
また、本実施形態のレンズキャップ２００によれば、曲面部２１０ａが、レンズ１１０と当接する側の面に切欠き２１０ｃを有する。そして、切欠き２１０ｃは、曲面部２１０ａが第２の状態から第１の状態に変形した際に曲面部２１０ａが鋭角に屈曲する位置に設けられている。このため、第２の状態から第１の状態へ曲面部２１０ａを変形させる際に、大きな負荷をかけることなく変形させることが可能となる。
【００２５】
また、本実施形態のレンズキャップ２００によれば、レンズキャップ２００（側壁部２１０ｂ）の径が、レンズ保持部１２０の摺接部１２０ａの径よりも僅かに小さく設定されている。このため、摺接部１２０ａに対して側壁部２１０ｂを圧着することができるので、レンズユニット１００にレンズキャップ２００が装着された際、レンズキャップ２００が容易に外れてしまうことを抑制することができる。
【００２６】
また、本実施形態のレンズキャップ２００によれば、レンズユニット１００にレンズキャップ２００が装着された際、レンズキャップ２００とレンズ１１０とが密着状態になるので、レンズキャップ２００とレンズ１１０との間に異物が混入することを抑制することができる。
【００２７】
また、本実施形態のレンズキャップ２００は、突起部２１０ｄを有する。突起部２１０ｄは、レンズユニット１００にレンズキャップ２００が装着される際、レンズユニット１００の溝１２０ｂと係合する。このため、レンズユニット１００にレンズキャップ２００が装着された際、レンズキャップ２００が容易に外れてしまうことを抑制することができる。
【００２８】
また、本実施形態のレンズキャップ２００は、曲面部２１０ａのレンズ１１０と当接する側の面に繊毛２３０を有する。このため、レンズユニット１００にレンズキャップ２００が装着される際、レンズ１１０の表面に異物が付着している場合であっても、繊毛２３０内に異物をもぐり込ませることができる。これにより、レンズキャップ２００とレンズ１１０との間に異物が存在する状態で外部から圧力がかかった場合でも、この異物によるレンズ１１０の傷・破損の発生を抑制することができる。
【００２９】
［変形例］
続いて、上記実施形態の変形例について説明する。なお、上記実施形態と同様の構成要素には同一の符号を付し、その説明を省略する。
本変形例のレンズキャップ３００は、図７に示すように、本体部２１０の頂点に、中心がくぼんだ皿形状の摘まみ部３１０を備えている点で、上記実施形態と異なっている。
【００３０】
摘まみ部３１０は、本体部２１０と同材料により一体成形されている。
図７に示すように、ユーザが摘まみ部３１０を摘まむことにより、摘まみ部３１０の開口端部が上方へ押し上げられることとなる。これに伴い、本体部２１０が図中の点線矢印の方向へ引っ張られることとなり、側壁部２１０ｂがその径を拡げる方向に移動することとなる。このため、レンズユニット１００からレンズキャップ３００を取り外す場合、摘まみ部３１０を摘まむことにより、側壁部２１０ｂがその径を拡げる方向に移動することとなるので、レンズキャップ３００の突起部２１０ｄと、レンズユニット１００の溝１２０ｂと、の係合を容易に解除することができる。
【００３１】
なお、本発明は、上記実施形態や上記変形例に限定されることなく、本発明の趣旨を逸脱しない範囲において、種々の改良並びに設計の変更を行っても良い。
例えば、上記実施形態にあっては、レンズキャップ２００は、曲面部２１０ａのレンズ１１０と当接する側の面に繊毛２３０を有するようにしたが、これに限られない。例えば、曲面部２１０ａのレンズ１１０と当接する側の面を凹凸形状としてもよい。これにより、レンズキャップ２００とレンズ１１０との間に異物が存在する状態で外部から圧力がかかった場合でも、凹部に異物を逃がすことができるので、この異物によるレンズ１１０の傷・破損の発生を抑制することができるようになる。
【００３２】
また、上記変形例にあっては、切欠き２１０ｃ、メタルドーム２２０、繊毛２３０の図示を省略しているが、これらの構成を備えるようにしてもよい。
【００３３】
また、上記実施形態や上記変形例にあっては、レンズキャップ２００，３００とレンズユニット１００が装着されている際にレンズキャップ２００，３００とレンズユニット１００との間の空気圧が外圧よりも低くなるように、レンズキャップ２００，３００の径や大きさが設計されていてもよく、そうすればレンズユニット１００からレンズキャップ２００，３００が簡単に外れてしまわないようにすることができる。例えば、上記変形例にあっては、本体部２１０及び摘まみ部３１０を介して、空気を抜くことが可能な弁を備えるようにしてもよい。そして、レンズキャップ３００がレンズユニット１００に装着されている際に、レンズユニット１００にレンズキャップ３００を押し付けた状態で摘まみ部３１０を摘まむことにより、上記弁を介して、レンズ１１０とレンズキャップ３００との間の空気を抜くことができるようにしてもよい。
【００３４】
また、上記実施形態や上記変形例にあっては、所謂魚眼レンズ（レンズ１１０）を対象とするレンズキャップ２００，３００について説明したが、保護対象とするレンズは凸型球面形状をなしていればよく、例えば、凸型球面形状の対物レンズ等を対象としてもよい。
【００３５】
また、上記実施形態や上記変形例にあっては、本体部２１０と繊毛２３０を一体成形としてもよいし、別体として成形してもよい。
【００３６】
以上、本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
変形可能な材質で形成されたレンズキャップであって、
前記レンズキャップは、凸レンズに装着されるドーム形状の曲面部を有し、
前記曲面部は、前記凸レンズが装着される側に当該曲面部を撓ませた第１の状態と、前記ドーム形状をなす第２の状態と、に変形可能であり、
前記第１の状態の曲面部を前記凸レンズに当接させ当該曲面部を前記第２の状態に変形させることで、前記凸レンズに前記レンズキャップを装着させることを特徴とするレンズキャップ。
＜請求項２＞
前記曲面部には、形状保持性を有する前記ドーム形状の板金が内蔵されていることを特徴とする請求項１に記載のレンズキャップ。
＜請求項３＞
前記曲面部は、前記凸レンズが装着される側の面に切欠部を有し、
前記切欠部は、前記曲面部が前記第２の状態から前記第１の状態に変形した際に当該曲面部が鋭角に屈曲する位置に設けられていることを特徴とする請求項１又は２に記載のレンズキャップ。
＜請求項４＞
前記レンズキャップの径が前記凸レンズの径よりも小さいことを特徴とする請求項１〜３の何れか一項に記載のレンズキャップ。
＜請求項５＞
前記レンズキャップが前記凸レンズに装着された際に、前記レンズキャップと前記凸レンズとが密着状態になることを特徴とする請求項１〜４の何れか一項に記載のレンズキャップ。
＜請求項６＞
前記レンズキャップが前記凸レンズに装着された状態を解除する摘まみ部を有することを特徴とする請求項１〜５の何れか一項に記載のレンズキャップ。
＜請求項７＞
前記レンズキャップは、突起部を有し、
前記突起部は、前記レンズキャップが前記凸レンズに装着される際に、当該凸レンズを有するレンズユニットの凹部と係合することを特徴とする請求項１〜６の何れか一項に記載のレンズキャップ。
＜請求項８＞
前記曲面部の前記凸レンズが装着される側の面に繊毛を有することを特徴とする請求項１〜７の何れか一項に記載のレンズキャップ。
＜請求項９＞
前記ドーム形状の曲面部が前記凸レンズに装着される前は、前記ドーム形状の曲面部が前記凸レンズに装着される方向に突出している状態で保持され、前記ドーム形状の曲面部が前記凸レンズに装着されると、前記ドーム形状の曲面部が前記凸レンズに装着される方向とは逆方向に突出した状態で、前記凸レンズに装着されることを特徴とする請求項１〜８の何れか一項に記載のレンズキャップ。
【符号の説明】
【００３７】
１００  レンズユニット
１１０  レンズ
２００，３００  レンズキャップ
２１０  本体部
２１０ａ  曲面部
２１０ｂ  側壁部
２１０ｃ  切欠き
２１０ｄ  突起部
２２０  メタルドーム
２３０  繊毛
３１０  摘まみ部
【図１】
2017227813.tif 000003
【図２】
2017227813.tif 000004
【図３】
2017227813.tif 000005
【図４】
2017227813.tif 000006
【図５】
2017227813.tif 000007
【図６】
2017227813.tif 000008
【図７】
2017227813.tif 000009